(57)【要約】　　　（修正有）【課題】包装袋に収納された複数のジグヘッド等釣針の中から選択したものだけを容易に安全に取り出せる釣針用パッケージを提供する。【解決手段】包装袋２と、釣針３を保持した状態で上記包装袋の内部に収納される台紙を有すると共に、釣針に接続されて当該釣針を上記包装袋の外部へ開口部から引き出しうる取出部材が設けられる。上記取出部材は、取出用の紐５として形成され、上記取出紐は一端にループ部６が形成され、そのループ部が上記釣針における針部７に係止される。上記台紙には、上記釣針の針部が係止されるが、上記取出紐を上記包装袋の開口部側へ引き出すことにより上記係止状態が解消して、釣針は包装袋の外へ引き出すことができる。【選択図】図１
0003100048.tif 000002
【実用新案登録請求の範囲】
【請求項１】
　包装袋と、釣針を保持した状態で上記包装袋の内部に収納される台紙とを有する釣針用パッケージにおいて、
　上記釣針に接続されて当該釣針を上記包装袋の外部へ開口部から引き出しうる取出部材が設けられたことを特徴とする釣針用パッケージ。
【請求項２】
　上記取出部材は、取出用の紐として形成され、上記取出紐は一端にループ部が形成され、そのループ部が上記釣針における針部に係止されて、上記釣針と上記取出紐とが接続されていることを特徴とする請求項１記載の釣針用パッケージ。
【請求項３】
　上記台紙には、上記釣針の針部が係止されて当該釣針が固定されると共に、上記取出部材を上記包装袋の開口部側へ引き出すことにより上記係止状態を解消しうる釣針固定部が設けられたことを特徴とする請求項１又は２記載の釣針用用パッケージ。
【請求項４】
　上記台紙は、表面側台紙と、表面側台紙に接合された裏面側台紙とから成り、上記釣針固定部は、上記表面側台紙に左右方向に沿って設けられた細長孔部と、この細長孔部の反開口部側端部に台紙上下方向に沿って設けられた釣針係止用のスリットとにより構成され、上記釣針は、針部先端が上記細長孔部を介して表面側台紙と裏面側台紙との間に収納されて上記スリットにより係止され、先端針部が開口部側に位置するように台紙上下方向に沿って配置されていることを特徴とする請求項１、２又は３記載の釣針用パッケージ。
【請求項５】
　上記包装袋の開口部側に位置する上記台紙の端縁部には、上記取出部材における反釣針接続部側の端部近傍部位を係止しうる取出部材固定部が設けられたことを特徴とする請求項１、２、３又は４記載の釣針用パッケージ。
【請求項６】
　上記取出部材は、反釣針接続部側の端部が上記台紙の取出部材固定部に係止されてから上記包装袋の外部に露出されると共に、その端部に上記台紙の取出部材固定部に対し取出部材を抜け止めするストッパが設けられたことを特徴とする請求項５記載の釣針用パッケージ。
【請求項７】
　上記包装袋には、上記開口部を開閉しうるとともに、袋本体の背面部側に折り重ねて、上記包装袋から露出した上記取出部材の端部を内側に挟み止めしうるフラップが設けられると共に、袋本体の背面部に上記フラップを内側に差し込んで固定しうる押えベルトが設けられたことを特徴とする請求項１、２、３、４、５又は６記載の釣針用パッケージ。
【請求項８】
　上記釣針がジグヘッドであることを特徴とする請求項１、２、３、４、５、６又は７記載の釣針用パッケージ。
【考案の詳細な説明】
【技術分野】
【０００１】
　本考案は、魚釣りに用いるジグヘッド等の釣針を収納して、店頭などで展示するために用いるパッケージに関する。
【背景技術】
【０００２】
　ジグヘッドは魚釣りに用いる釣針の一種で、錘部と針部によって構成され、その針部にミミズやゴカイ等の生餌や、それら生餌を模して合成樹脂等により成形されたワームと称される擬餌等を装着して、特にカサゴやメバル等の根魚を釣る場合に使用されることが多い。
【０００３】
　ジグヘッドは、通常、複数個を透明な包装袋に収納して販売することが多い。そして、ジグヘッドは裸の状態で包装袋に収納されたり、透明なフィルムによりラップされた状態で包装袋に収納されたり、又は、包装袋に同封された台紙に係止された状態で収納されることが多い。
【０００４】
　しかしながら、ジグヘッドが裸の状態で包装袋に収納されたものは、ジグヘッドの針部が包装袋に刺さってしまい、取り出しにくいという不具合がある。
　また、複数のジグヘッドの中から使用するものを一つだけ取り出す場合は、包装袋の内部に指を入れて摘み出す必要があるが、そのとき、他のジグヘッドの針先が指に刺さって怪我をしやすいという不具合もある。
【０００５】
　また、透明なフィルムによりラップされた状態で包装袋に収納されたものは、ジグヘッドを使用する場合にラップを開かなければならず、煩雑であるという不具合がある。
【０００６】
　また、包装袋に同封された台紙に係止された状態で収納されたものは、使用する場合に台紙から外さなければならず、煩雑であるという不具合がある。
【０００７】
　また、上記のようにラップされた状態で包装袋に収納されたものと、上記のように同封された台紙に係止された状態で包装袋に収納されたものは、複数のジグヘッドの中から一つだけ使用するものを取り出す場合に、ラップごと又は台紙ごと全てのジグヘッドを包装袋の外に取り出して、その中から選択したものを取り出した後、残りのジグヘッドを再びラップで包んで包装袋内に挿入したり、台紙を再び包装袋内に挿入しなければならず、極めて煩雑であった。
【０００８】
　なお、本出願人は、上記の不具合を解消できる釣針用パッケージの調査を行なったが、関連する先行技術文献を見出すことはできなかった。
【考案の開示】
【考案が解決しようとする課題】
【０００９】
　本考案は、上記の不具合を解消できる釣針用パッケージの提供、すなわち、包装袋に収納された複数のジグヘッド等釣針の中から選択したものだけを容易に安全に取り出せて、上記の煩雑さが解消できる釣針用パッケージの提供を課題とする。
【課題を解決するための手段】
【００１０】
　上記課題を解決するために、本考案の釣針用パッケージは、包装袋と、釣針を保持した状態で上記包装袋の内部に収納される台紙とを有する釣針用パッケージにおいて、上記釣針に接続されて当該釣針を上記包装袋の外部へ開口部から引き出しうる取出部材が設けられたことを特徴とするものである。
　これにより、本考案の釣針用パッケージにあっては、上記取出部材に接続された釣針を、その取出部材を引き上げることにより包装袋の外部へ取り出すことができる。
【００１１】
　また、本考案の釣針用パッケージでは、上記取出部材は、取出用の紐として形成され、上記取出紐の一端にループ部が形成され、そのループ部が上記釣針における針部に係止されて、上記釣針と上記取出紐とが接続されている。
　これにより、本考案の釣針用パッケージにあっては、取出紐の一端に形成されたループ部を釣針における針部に係止して取出紐と釣針とを接続することにより、釣針を包装袋の外部へ取り出した後では、簡単に取出紐を釣針から外すことができる。
【００１２】
　また、本考案の釣針用パッケージでは、上記台紙には上記釣針の針部が係止されて当該釣針が固定されると共に、上記取出部材を上記包装袋の開口部側へ引き出すことにより上記係止状態を解消しうる釣針固定部が設けられている。
　これにより、本考案の釣針用パッケージにあっては、台紙により釣針を係止して保持することができるが、その係止は上記取出部材を引っ張ることにより容易に解消することができる。
【００１３】
　また、本考案の釣針用パッケージは、上記台紙が、表面側台紙と、表面側台紙に接合された裏面側台紙とから成り、上記釣針固定部は、上記表面側台紙に左右方向に沿って設けられた細長孔部と、この細長孔部の反開口部側端部に台紙上下方向に沿って設けられた釣針係止用のスリットとにより構成され、上記釣針は、針部先端が上記細長孔部を介して表面側台紙と裏面側台紙との間に収納されて上記スリットにより係止され、先端針部が開口部側に位置するように台紙上下方向に沿って配置されている。
　これにより、本考案の釣針用パッケージにあっては、釣針の先端針部を台紙により確実に保持できるとともに、取り出す場合は、容易に台紙から離脱させることができる。
【００１４】
　また、本考案の釣針用パッケージは、上記包装袋の開口部側に位置する上記台紙の端縁部に、上記取出部材における反釣針接続部側の端部近傍部位を係止しうる取出部材固定部が設けられている。
　これにより、本考案の釣針用パッケージにあっては、上記台紙の端縁部に形成された取出部材固定部に取出部材を固定することにより、上記取出部材が上記包装袋の内部に落ち込まないようにすることができる。
【００１５】
　また、本考案の釣針用パッケージは、上記取出部材の反釣針接続部側の端部が、上記台紙の取出部材固定部に係止されてから上記包装袋の外部に露出されると共に、その端部に上記台紙の取出部材固定部に対し取出部材を抜け止めするストッパが設けられている。
　これにより、本考案の釣針用パッケージにあっては、上記取出部材における反釣針接続部側の端部を上記包装袋の外部に露出させ、その状態を上記ストッパにより維持することにより、釣針を引き出す場合に、その取出部材の露出した端部を指で容易に摘持することができる。
【００１６】
　また、本考案の釣針用パッケージは、上記包装袋に、上記開口部を開閉しうるとともに、袋本体の背面部側に折り重ねて、上記包装袋から露出した上記取出部材の端部を内側に挟み止めしうるフラップが設けられると共に、袋本体の背面部に上記フラップを内側に差し込んで固定しうる押えベルトが設けられている。
　これにより、本考案の釣針用パッケージにあっては、上記包装袋から露出した上記取出部材の端部が上記フラップで挟み止めされ、又、そのフラップが上記押えベルトで固定されるので、上記取出部材の端部が確実に固定される。
【００１７】
　また、本考案の釣針用パッケージは、上記釣針をジグヘッドとすることができる。
　これにより、本考案の釣針用パッケージにあっては、ジグヘッドを容易に取り出すことができる。
【考案の効果】
【００１８】
　請求項１記載の本考案の釣針用パッケージは、釣針に接続されて当該釣針を上記包装袋の外部へ引っ張り出しうる取出部材が設けられたので、従来のようにラップごと又は台紙ごと全てのジグヘッドを包装袋の外へ取り出して必要なジグヘッドをラップ内から取り出したり、又は台紙から取り外す必要がなく、取り出そうとする釣針に接続された取出部材を引っ張ることにより、台紙を包装袋内に収納した状態のままで、所望の釣針だけを包装袋から容易且つ安全に取り出すことができる。
【００１９】
　また、請求項２記載の本考案の釣針用パッケージにあっては、上記取出部材は、取出用の紐として形成され、上記取出紐の一端にループ部が形成され、そのループ部が上記釣針における針部に係止されて、上記釣針と上記取出紐とが接続されているので、上記ループ部を上記針部に引っ掛けるだけで簡単に釣針と取出紐とを接続することができると共に、取出紐のループ部を針部から外すのも容易なので、即座に釣針の使用を開始することができる。
【００２０】
　また、請求項３記載の本考案の釣針用パッケージは、上記台紙に、上記釣針の針部を係止して当該釣針を保持しうると共に、上記取出部材を上記包装袋の開口部側へ引っ張ることにより上記係止状態を解消しうる釣針固定部が設けられているので、釣針の針部が釣針固定部に係止されて台紙に保持されることにより、釣針の保持状態が安定する。
　また、上記釣針固定部は上記取出部材を引っ張ることにより上記針部が係止状態を容易に解消できるように形成されているので、容易に釣針の取り出しを行なうことができる。
【００２１】
　また、請求項４記載の本考案の釣針用パッケージにあっては、針部先端が表面側台紙と裏面側台紙との間に収納されていることから、針部先端は台紙上に現れていないので包装袋と接触して傷付けることがない。
　また、釣針は表面側台紙に設けられた上記細長孔部の反開口部側端部に台紙上下方向に沿って設けられたスリットに先端針部が係止され、台紙上下方向に沿って配置されていることから、上記取出部材を開口部側へ引っ張ることにより、先端針部はスリットから抜け出し、アール形状に形成された針部は上記細長孔部を介してスムースに釣針固定部から離脱する。その結果、上記取出部材を引っ張ることにより容易に包装袋外へ取り出すことができる。
【００２２】
　また、請求項５記載の本考案の釣針用パッケージは、上記包装袋の開口部側に位置する上記台紙の端縁部に、上記取出部材における反釣針接続部側の端部近傍部位を係止しうる取出部材固定部が設けられたので、上記取出部材における反釣針接続部側の端部が上記台紙の端縁部に係止されることにより、取出部材が確実に固定され、包装袋の内部に落ち込んで指で摘み出しにくくなるという事態を回避することができる。
【００２３】
　また、請求項６記載の本考案の釣針用パッケージでは、上記取出部材は、その反釣針接続部側の端部が、上記台紙の取出部材固定部に係止されてから上記包装袋の外部に露出されると共に、その端部に上記台紙の取出部材固定部に対し取出部材を抜け止めするストッパが設けられたので、上記包装袋の外部に露出された上記取出部材の端部を指で摘んで容易に上記包装袋の外に引っ張り出すことができると共に、上記取出部材が取出部材固定部から離脱して係止状態が解消されるのを防止することができる。
【００２４】
　また、請求項７記載の本考案の釣針用パッケージは、上記包装袋に、上記開口部を開閉しうるとともに、袋本体の背面部側に折り重ねて、上記包装袋から露出した上記取出部材の先端部位を内側に挟み止めしうるフラップが設けられると共に、袋本体の背面部に上記フラップを内側に差し込んで固定しうる押えベルトが設けられたので、上記フラップで上記開口部を覆うことにより、上記包装袋から上記台紙や上記釣針が脱出するのを防ぐと共に、上記取出部材の端部を上記フラップにより挟み止めして、上記取出部材が誤って抜け出してしまう事態を阻止することができる。
　また、上記押えベルトの内側へ上記フラップを差し込むことにより、当該フラップが上記包装袋の開口部を閉蓋した状態が確実に維持され、釣針及び台紙の包装袋からの離脱を確実に阻止することができる。
【００２５】
　また、請求項８記載の本考案の釣針用パッケージは、上記釣針をジグヘッドとしたことにより、ジグヘッドの取り出しが容易である。すなわち、サビキ等の他の釣針の場合はハリスやヨリモドシ等が接続されて釣用仕掛として提供されることが多いので、そのハリスを引っ張ることにより取り出しが比較的容易だが、ジグヘッドの場合は、釣糸が接続されない状態で提供されることが多いので、包装袋からの取り出しが困難である。従って、ジグヘッドに取出部材を接続して提供することにより取り出しが容易となる。
【考案を実施するための最良の形態】
【００２６】
　以下、添付した図面を参照して本考案の実施の形態について説明する。
　まず、本実施形態に係る釣針用パッケージ１は、図１及び図２に示すように、包装袋２と、釣針３を保持した状態で上記包装袋２の内部に収納される台紙４とを有するもので、上記釣針３に接続されて当該釣針３を上記包装袋２の外部へ引き出しうる取出部材が設けられている。
　そして、上記取出部材は取出紐５として形成され、上記取出紐５は、図５に示すように、一端にループ部６が形成され、そのループ部６が上記釣針３における先端針部７に係止されて、上記釣針３と上記取出紐５とが接続されている。
　また、上記台紙４には、図４及び図６に示すように、上記釣針３の先端針部７が係止されて、当該釣針３が固定されると共に、上記取出紐５を上記包装袋２の開口部８側へ引き出すことにより上記係止状態を解消しうる釣針固定部９が設けられている。
　また、上記台紙４は、図２、図４及び図７に示すように、表面側台紙４ａと、表面側台紙４ａに接合された裏面側台紙４ｂとから成り、上記釣針固定部９は、図４に示すように、上記表面側台紙４ａに左右方向に沿って設けられた細長孔部１０と、その細長孔部１０の反開口部側端部に台紙上下方向に沿って設けられた釣針係止用のスリット１１とにより構成され、上記釣針３は、図２及び図６に示すように、針部７先端が上記細長孔部１０を介して表面側台紙４ａと裏面側台紙４ｂとの間に収納されて上記スリット１１により係止され、先端針部７が開口部８側に位置するように台紙上下方向に沿って配置されている
　また、図４及び図６に示すように、上記包装袋２の開口部８側に位置する上記台紙４の端縁部１２には、上記取出紐５における反釣針接続部側の端部近傍部位を係止しうる取出部材固定部１３が形成されている。
　また、上記取出紐５は、図２及び図５に示すように、反釣針接続部側の端部が上記台紙４の取出部材固定部１３に係止されてから上記包装袋２の外部に露出されると共に、その端部に上記台紙４の取出部材固定部１３に対し取出紐５を抜け止めするストッパ１４が設けられている。
　また、上記包装袋２には、図３に示すように、上記開口部８を開閉しうるとともに、袋本体２３の背面部側に折り重ねて、上記包装袋２から露出した上記取出紐５の端部を内側に挟み止めしうるフラップ１５が設けられると共に、袋本体２３の背面部に上記フラップ１５を内側に差し込んで固定しうる押えベルト１６が設けられている。
　また、上記釣針３として，図５に示すように、ジグヘッド１７が使用されている。
【実施例１】
【００２７】
　以下、図示した本考案の実施例について説明する。
　まず、本実施例に係る釣針用パッケージ１は、図１及び図２に示すように、釣針３として５本のジグヘッド１７を収納している。当該ジグヘッド１７は、図５に示すように、先端がアール状に屈曲されたステンレス製の針部７と、上記針部７の基端部に設けられた鉛製の錘部１８とによって構成されている。
【００２８】
　また、図５に示すように、上記錘部１８は針部７における基端部の外周を包むように球状に形成されている。
【００２９】
　また、図５に示すように、上記錘部１８には釣糸を繋ぐためのリング部１９が側方へ突出するように形成されている。
【００３０】
　図１及び図２に示すように、上記釣針用パッケージ１は、包装袋２と、台紙４と、取出紐５とを具えて構成されている。
【００３１】
　上記包装袋２は、図３に示すように、透明なプラスチックフィルムにより側面方形に形成されている。そして、上記包装袋２の上端部には吊下部２０が延設され、その吊下部２０の中央位置に孔部２１が穿設されている。従って、この孔部２１をフックなどに掛けて展示することができる。
【００３２】
　上記包装袋２には、図３に示すように、その背面部側に上方を開口したポケット２２が形成されていて、そのポケット２２の開口部８は上記吊下部２０の下端位置に設けられている。
【００３３】
　また、図３に示すように、上記包装袋２には、上記ポケット２２の開口部８の上に、その開口部８を覆うことができるようにフラップ１５が設けられている。
【００３４】
　また、図３に示すように、上記包装袋２の背面部側には、上記ポケット２２の開口部８の少し下方位置に押えベルト１６が設けられている。
　上記押えベルト１６は横長帯状に形成され、その長さ方向の両端部が袋本体２３における両側縁部に接合され、長さ方向の中間部は袋本体２３から分離している。
【００３５】
　図２に示すように、上記フラップ１５は上記押えベルト１６の内側に差し込み可能で、押えベルト１６により外面部を押え止めされて、固定されるように形成されている。
【００３６】
　上記台紙４は、厚紙製で、図２，図４及び図７に示すように、表面側台紙４ａと、表面側台紙４ａに接合された裏面側台紙４ｂとにより構成され、表面側台紙４ａと裏面側台紙４ｂとの間に針部先端収納部２４が形成されている。
　なお、上記台紙４は、全体形状が、上記ポケット２２に収納可能な方形状に形成されている。
【００３７】
　上記台紙４には、図４に示すように、上記表面側台紙４ａにおける略中央部に上記ジグヘッド１７を保持するための釣針固定部部９が設けられている。
【００３８】
　上記釣針固定部９は、図４に示すように、上記表面側台紙４ａに左右方向に沿って設けられた細長孔部１０と、その細長孔部１０の反開口部側端部に台紙上下方向に沿って設けられた釣針係止用のスリット１１とにより構成され、そのスリット１１の下端は丸孔状に形成されている。
【００３９】
上記ジグヘッド１７は、図２に示すように、その針部７先端が上記細長孔部１０を介して表面側台紙４ａと裏面側台紙４ｂとの間に形成された上記針部先端収納部２４に収容されて、上記スリット１１における下端丸孔部１１ａに係止され、先端針部７が開口部８側に位置するように台紙上下方向に沿って配置されている。
【００４０】
　なお、上記スリット１１は、図４に示すように、上記細長孔部１０の反開口部側端部における幅方向の複数箇所に形成されている。
【００４１】
　また、上記台紙４には、図４に示すように、上記開口部８側の端縁部１２における幅方向の複数箇所に、所要間隔で上下方向の線状の切込み２５が設けられ、この切込み２５が上記取出部材固定部１３となっている。
【００４２】
　上記取出紐５は、図５に示すように、プラスチック製の柔軟な線状部材によって形成され、その一端にループ部６が設けられるとともに、反対側の端部にはストッパ１４が設けられている。
【００４３】
　上記ストッパ１４は、図５に示すように、プラスチックにより上記台紙４の上記切込み２５の幅より外径が大きい略球状に形成され、その中心孔部２６を上記取出紐５が貫通している。
【００４４】
　上記ジグヘッド１７は、図６に示すように、上記取出紐５の上記ループ部６が針部７に係止された状態で、上記台紙４に設けられた上記釣針固定部９に保持され、図２に示すように、台紙４と共に上記ポケット２２の内部に収納されている。
【００４５】
　上記ジグヘッド１７を上記釣針固定部９に保持させる場合は、まず、その針部７を上向きにして、上記釣針固定部９における細長孔部１０に挿入し、その針部７先端を上記針部先端収納部２４に収容する。
　次に、先端針部７その細長孔部１０から上記スリット１１に導いて、スリット１１の下端の丸孔部１１ａまで移動させ、同丸孔部１１ａに係止させればよい。
【００４６】
　上記取出紐５は、図２に示すように、一端の上記ループ部６をジグヘッド１７の針部７に係止すると共に、反対側の端部近傍を上記台紙４の上方端縁部１２に形成された上記切込み２５に挟入して固定されている。
【００４７】
　そして、上記取出紐５の上記ストッパ１４を取り付けた側の端部は、台紙４の裏側に配置されている。従って、台紙４の裏側に配置される取出紐５の端部は、上記ストッパ１４が上記切込み２５を通過できないので、台紙４の表側へ抜け出すことができず、取出紐５は台紙４に固定された状態を維持することができる。
【００４８】
　台紙４の上方端縁部１２の切込み２５に係止された取出紐５の端部は、図２に示すように、上記開口部８から上記ポケット２２の外に露出されている。
　そして、上記取出紐５の露出部位は下方へ折り返され、その外側に上記フラップ１５が上記開口部８を閉じるように被せられている。これにより、上記取出紐５の露出部位は上記フラップ１５により押え止めされている。
【００４９】
　また、図２に示すように、上記ポケット２２の開口部８を閉じて、上記取出紐５の露出部位の外側に被せられた上記フラップ１５は、上記押えベルト１６の内側に差し込まれて固定されている。
【００５０】
　上記包装袋２から所望のジグヘッド１７を取り出す手順は以下の通りである。
　まず、図７に示すように、上記フラップ１５を上記押えベルト１６から抜き取って上方へ捲り上げることにより、上記ポケット２２の開口部８を開放するとともに、上記取出紐５の露出部位を自由にする。
【００５１】
　次に、図７に示すように、取り出そうとするジグヘッド１７に接続された取出紐５の露出部位を指で摘んで上方へ持ち上げることにより、上記台紙４の上方端縁部１２の切込み２５に挟入されていた上記取出紐５の端部を上記切込み２５から抜き取って、上記取出紐５を自由にする。
【００５２】
　そして、上記取出紐５の自由になった端部をそのまま上方へ引き上げる。これにより、上記取出紐５の一端に形成された上記ループ部６に係止されたジグヘッド１７の針部７は上方へ引っ張られる。
【００５３】
　ジグヘッド１７の針部７が上記のように、上記取出紐５により上方へ引っ張られると、その針部７は上記丸孔部１１ａから上記スリット１１を上昇して上記細長孔部１０に至る。さらに、上記取出紐５を上方へ引っ張ると、この場合、針部７の針先部７ａは下方に向いていると共にアール部７ｂが上方に配置されていることから、取出紐５により引っ張られた場合には、上記アール部７ｂによりスリット１１及び細長孔部１０からスムースに離脱し、ジグヘッド１７の針部７と上記釣針固定部９との係止状態が解消する。
【００５４】
　これにより、ジグヘッド１７と台紙４は分離した状態となり、上記記取出紐５をさらに上方へ引き上げることにより、当該ジグヘッド１７を上記開口部８からポケット２２の外部へ取り出すことができる。
【産業上の利用可能性】
【００５５】
　本考案は、釣針、特に、釣糸と接続されない状態で、すなわち、単独で包装袋に収納される全ての釣針のパッキングに適用することができる。
【図面の簡単な説明】
【００５６】
【図１】実施例１に係る全体斜視図である。
【図２】図１のＡ−Ａ線断面図である。
【図３】包装袋の背面側の斜視図である。
【図４】台紙の斜視図である。
【図５】ジグヘッドに取出紐を接続した状態を示す斜視図である。
【図６】ジグヘッドと取出紐を台紙に取り付けた状態の斜視図である。
【図７】ジグヘッドを包装袋から取り出す状態を示す断面図である。
【符号の説明】
【００５７】
　１　　釣針用パッケージ
　２　　包装袋
　３　　釣針
　４　　台紙
４ａ　　表面側台紙
４ｂ　　裏面側台紙
　５　　取出紐
　６　　ループ部
　７　　針部
７ａ　　針先部
７ｂ　　アール部
　８　　開口部
　９　　釣針固定部
１０　　細長孔部
１１　　スリット
１１ａ　丸孔部
１２　　端縁部
１３　　取出部材固定部
１４　　ストッパ
１５　　フラップ
１６　　押えベルト
１７　　ジグヘッド
１８　　錘部
１９　　リング部
２０　　吊下部
２１　　孔部
２２　　ポケット
２３　　袋本体
２４　　針部先端収納部
２５　　切込み
２６　　中心孔部
【図１】
0003100048.tif 000003
【図２】
0003100048.tif 000004
【図３】
0003100048.tif 000005
【図４】
0003100048.tif 000006
【図５】
0003100048.tif 000007
【図６】
0003100048.tif 000008
【図７】
0003100048.tif 000009